(57)【特許請求の範囲】
【請求項１】
建物内の室内床面を形成する床仕上材と浴室床面との間に立設する立設部の室内側の角部に固定する浴室上がり框であって、前記立設部の角部の水平部分を覆う水平部と、前記水平部の室内床面側に連続して設けられ、前記立設部の角部の垂直前面部分を覆う前面部とを備え、前記水平部の浴室側の端部には、浴室入口の周囲を覆うサッシ枠の下部の鉛直上方張り出し部と嵌合して引っかかる嵌合部が形成されていることを特徴とする浴室上がり框。
【請求項２】
上記の嵌合部は、サッシ枠下部の溝に入り込むように鉛直下方に延びる突出部と、この突出部の下端から上記立設部側に水平に前記溝の外周側に向かって延びる引っかけ部とを備え、前記突出部および引っかけ部は、突出部をサッシ枠下部の溝に押し込んだ場合に、引っかけ部が変形して溝内に入り込み、入り込んだ引っかけ部が溝の周縁に引っかかることにより溝内に突出部が固定されるように形成されたことを特徴とする請求項１記載の浴室上がり框。
【請求項３】
上記浴室上がり框の水平部の上面には、浴室上がり框の長手方向に平行な複数の滑り止め突条を設けたことを特徴とする請求項１または請求項２記載の浴室上がり框。
【請求項４】
上記浴室上がり框は、セルロース系材料の微粉末の表面にこの微粉末よりも小径でかつ固い微粉末を担持させて形成した粉体を混合した樹脂を着色成形することによって木目模様を呈するように形成したことを特徴とする請求項１、請求項２または請求項３記載の浴室上がり框。
【発明の詳細な説明】
【０００１】
【発明の属する技術分野】
この発明は、建物内の床面を形成する床仕上材と浴室床面との間に立設する立設部の室内側の角部に固定する浴室上がり框に関するものである。
【０００２】
【従来の技術】
図５は、従来の浴室上がり框の縦断面図を示している。
従来の浴室上がり框１５０は木質からなり、図５に示すように、浴室１９０の入口の周囲を覆うサッシ枠１１０と浴室１９０の入口に面する室内の床仕上材１４０との間に立設する立設部１２０の室内側の角部に固定されている。そして、この立設部１２０は、浴室１９０の入口下部に沿って水平に載置された調整材１３０，１３１から形成されている。
【０００３】
この浴室上がり框１５０は、前記調整材１３０，１３１の角部の水平部分を覆う水平部１６２と、前記調整材１３０，１３１の角部の垂直前面部分を覆う前面部１６３とを備えている。そして、前記水平部１６２の下面と調整材１３０の上面との間には、水の浸入を抑えるパッキング材１７０が挿入されてあり、前記前面部１６３の裏面と調整材１３０，１３１の前面との間には同様に水の浸入を抑えるパッキング材１７１が挿入されている。また、浴室上がり框１５０の浴室１９０側の端部下面と浴室入口のサッシ枠１１０との間には水の浸入を抑えるコーキング１７２が形成されている。
【０００４】
また、浴室上がり框１５０は、固定を確実なものとするため、釘を用いずに接着剤を用いたり、釘と接着剤を併用するなどして調整剤１３０，１３１やパッキング材１７０，１７１に固定されている。
【０００５】
【発明が解決しようとする課題】
しかし、上記した従来の木質からなる浴室上がり框１５０は、浴室上がり框１５０の固定部分との間に隙間が発生しやすいため、浴室上がり框１５０の固定部分との隙間からの水の浸入を抑えるためのパッキング材１７０，１７１やコーキング１７２による防水処理が必要になり現場施工に手間がかかるという問題点があった。
【０００６】
また、浴室を使用した人が濡れた足でその上に乗ると、摩擦抵抗が小さくなり水分が存在しない場合よりも滑りやすくなるので、それを防ぐには別途の構成、例えば別部材のすべり止め部材を固定しなければならなかった。このため、部材数の増加や固定のための施工に手間がかかるという問題点があった。
また、従来の浴室上がり框１５０は、木質からなるためにその内部に水分を吸収し易く、長期間、腐らせずに使用するためには水のふき取りや乾燥が必要となり、清掃やメンテナンスに手間がかかるという問題点があった。
【０００７】
また、浴室上がり框１５０を固定するのに接着材を使用すると、現場での接着剤の養生時間が必要となり、現場施工に手間がかかるという問題点があった。
そこで、請求項１記載の発明は、上記した従来の技術の有する問題点に鑑みてなされたものであり、その目的とするところは、接着剤を使用することなく、容易に取り付けることができ、水の浸入を抑えることができる浴室上がり框を提供しようとするものである。
【０００８】
これに加え、請求項２記載の発明は、嵌合部を特定するもので、簡易な構造でサッシ枠に嵌合可能な浴室上がり框を提供しようとするものである。
これに加え、請求項３記載の発明は、足の裏面との摩擦抵抗を大きくして濡れた足でも滑りにくい浴室上がり框を提供しようとするものである。
これに加え、請求項４記載の発明は、木目模様を呈するように形成するとともに水分を吸収し難くてメンテナンスが容易な浴室上がり框を提供しようとするものである。
【０００９】
なお、上記の課題を解決する技術を、日本特許情報機構（ＪＡＰＩＯ）の先行技術調査（パトリス）の利用により、以下の検索式で昭和５５年以後の特許出願、実用新案登録出願を調査した。
検索式  ：  Ｅ０４Ｆ１９／００Ｂ
その結果、特許出願２０余件、実用新案登録出願７０余件を抽出した。しかし、この先行技術調査によっては、本願発明と同一の技術は発見できなかった。
【００１０】
【課題を解決するための手段】
本発明は、上記した目的を達成するためのものであり、以下にその内容を図面に示した実施例を用いて説明する。請求項１記載の発明は、建物内の室内床面を形成する床仕上材（４０）と浴室床面との間に立設する立設部（１３）の室内側の角部に固定する浴室上がり框（５０）であって、前記立設部（１３）の角部の水平部分を覆う水平部（６２）と、前記水平部に連続して前記立設部（１３）の角部の垂直前面部分を覆う前面部（６３）とを備え、前記水平部（６２）の浴室側の端部には、浴室入口の周囲を覆うサッシ枠（１０）下部の鉛直上方張り出し部と嵌合して引っかかる嵌合部（５１）が形成されていることを特徴とする。
【００１１】
本発明の「サッシ枠（１０）下部の鉛直上方張り出し部と嵌合して引っかかる」とは、浴室上がり框（５０）の水平部（６２）の端部を嵌合部（５１）により接着剤を使用することなく簡易に固定する手段であって、接着剤を使用する場合に必要な養生時間が不要となり、現場施工を容易なものとするものである。また、本発明の「嵌合部（５１）」は、浴室上がり框（５０）の水平部（６２）の端部を引っかかり作用を有する嵌合部のみを用いて直接、サッシ枠（１０）に固定する部分全体であって、浴室上がり框（５０）とサッシ枠（１０）との間に隙間を発生させることなく形成することができ、両者間の隙間からの水の浸入を抑えるためのパッキング材やコーキング処理を不要とし、現場での施工を簡易なものとするものである。
【００１２】
請求項２記載の発明は、上記した請求項１記載の特徴点に加え、嵌合部（５１）は、サッシ枠（１０）下部の溝（１１）に入り込むように鉛直下方に延びる突出部（５２）と、この突出部（５２）の下端から水平方向に延びる引っかけ部（５３）とを備え、突出部（５２）および引っかけ部（５３）は、突出部（５２）をサッシ枠（１０）下部の溝（１１）に押し込んだ場合に、引っかけ部（５３）が変形して溝（１１）内に入り込み、入り込んだ引っかけ部（５３）が溝（１１）の周縁に引っかかることにより溝（１１）内に突出部（５２）が固定されるように形成されたことを特徴とする。
【００１３】
本発明の「突出部（５２）」および「引っかけ部（５３）」は、突出部（５２）を嵌合溝（１１）の内部に押し込むと、突出部（５２）の先端の引っかけ部（５３）が嵌合溝（１１）の周縁に押されて変形して、引っかけ部（５３）は嵌合溝（１１）の内部に入り込む。そして、この入り込んだ引っかけ部（５３）は、嵌合溝（１１）の周縁に引っかかることにより嵌合溝（１１）の内部から突出部（５２）が抜け出ることを阻止することができ、嵌合溝（１１）の内部に突出部（５２）を固定するようにしたものである。
【００１４】
請求項３記載の発明は、上記した請求項１または請求項２記載の特徴点に加え、浴室上がり框（５０）の水平部（６２）の上面には、浴室上がり框（５０）の長手方向に平行な複数の滑り止め突条（６１）を設けたことを特徴とする。
本発明の「滑り止め突条（６１）」は、浴室上がり框（５０）の水平部（６２）の上に人の足が乗っても、この滑り止め突条（６１）が足裏に食い込み、濡れた足で乗るような場合でも両者の摩擦抵抗を増加させることができるようにしたものを別部材として取り付けるのではなく、最初から水平部（６２）に形成しておくものである。これにより、部材数の低減や施工の簡易化を可能とするものである。
【００１５】
請求項４記載の発明は、上記した請求項１、請求項２または請求項３記載の特徴点に加え、浴室上がり框（５０）は、セルロース系材料の微粉末の表面にこの微粉末よりも小径でかつ固い微粉末を担持させて形成した粉体を混合した樹脂を着色成形することによって木目模様を呈するように形成したことを特徴とする。
ここで「セルロース系材料」とは木粉等をいう。また、「微粉末よりも小径でかつ固い微粉末」とは、酸化チタン、フェライト、アルミニウム、ニッケル、銀等の金属微粉末、あるいはセラミック等の非金属微粉末をいうものである。
【００１６】
また、ここで「粉体を混合した樹脂」とは、木質よりも水分を吸収し難いものであって、水分が表面に付着しても木質のようにふき取ったり、乾燥させる必要もなく、メンテナンスが容易なものである。
【００１７】
【発明の実施の形態】
以下、本発明の実施の形態を図面に基づいて、更に詳しく説明する。
図１乃至図３は、本発明の第１の実施の形態を示すものであり、図１はサッシ枠に固定した浴室上がり框の縦断面図、図２は浴室上がり框の縦断面図、図３はサッシ枠に取り付ける際の浴室上がり框の縦断面図をそれぞれ示す。
【００１８】
まず、本発明の実施の形態の構成について説明する。
浴室上がり框５０は、図１に示すように、建物内の室内床面を形成する床仕上材４０と浴室９０内の床面との間に立設する立設部１３の室内側の角部に固定されるものである。
この立設部１３は、室内の床仕上げ材４０の上に位置して浴室９０の入口の下部に水平に固定された板状の調整材３０と、この調整材３０の上に固定された板状の框芯材２０とを備えている。また、立設部１３の浴室９０側には、浴室９０入口の周囲を覆うサッシ枠１０の下枠が調整材３０の上面に固定されている。そして、前記框芯材２０の室内側の角部を覆うように縦断面形状が逆Ｌ字状の浴室上がり框５０が固定されている。
【００１９】
この浴室上がり框５０は、立設部１３の角部の水平部分を覆う水平部６２と、立設部１３の角部の垂直前面部分を覆う前面部６３とを備えている。前記水平部６２の浴室９０側の端部の裏面側には、浴室９０の入口の周囲を覆うサッシ枠１０の下部と嵌合する嵌合部５１が形成されている。そして、サッシ枠１０の下部には上方に向かって開口する嵌合溝１１が形成されており、この嵌合溝１１に浴室上がり框５０の前記嵌合部５１が嵌合している。この嵌合部５１は、水平部６２の浴室９０側の端部近傍の下面から下方に向かって突出してサッシ枠１０の嵌合溝１１に入り込む突出部５２と、この突出部５２の下端から前記嵌合溝１１の外周側に向かって延びる引っかけ部５３とを備えている。この突出部５２および引っかけ部５３は、突出部５２をサッシ枠１０の下部の嵌合溝１１に押し込んだ場合に、引っかけ部５３が変形して嵌合溝１１の内部に入り込み、入り込んだ引っかけ部５３が嵌合溝１１の周縁に引っかかることにより嵌合溝１１の内部に突出部５２が固定されるように形成されている。さらに、突出部５２の前面部６３側の面には、浴室上がり框５０の長手方向に平行であって縦断面形状が凹凸状の凹凸部５４が形成されている。この凹凸部５４は、嵌合部５１を嵌合溝１１に押し込んだ場合、嵌合溝１１の周縁が深く噛み込んで浴室上がり框５０を強固に固定可能としたものである。
【００２０】
また、水平部６２の上面には、浴室上がり框５０の長手方向に平行であって上面から上方に向かって突出する４本の滑り止め用の滑り止め突条６１が形成されている。そして、水平部６２には、その下面から下方に向かって突出するとともに浴室上がり框５０の長手方向に平行な４本の脚部６６が形成されている。この４本の脚部６６は、その４本の脚部６６のうち浴室９０側からの３本であって下端が框芯材２０の上面に当接する長脚部６４と、４本の脚部６６のうち室内側の１本であって下方への突出長さが長脚部６４より短い短脚部６５とから形成されている。
【００２１】
また、浴室上がり框５０の前面部６３には、その下部の裏面側から床仕上げ材４０の上面にまで延びて前面部６３の下方に加わる力を支持する支持部５７が形成されている。この支持部５７の浴室側に臨む面には、浴室上がり框５０の長手方向に平行な縦断面形状がＶ溝状の切欠き溝５８が形成されている。この切欠き溝５８は、これに沿って支持部５７を横方向に折り取ることにより、床仕上げ材４０が図１に示す２点鎖線の位置に設定されても浴室上がり框５０を使用できるように形成したものである。
【００２２】
また、浴室上がり框５０の前面部６３には、その下部の裏面側から浴室９０側の水平横方向に向かって延びて調整材３０の室内側の前面に当接する当接部５６が形成されている。これは、人が誤って足で前面部６３を蹴り込んでも、当接部５６が調整材３０に当接していることにより前面部６３の変形を抑えて浴室上がり框５０が破損するのを抑えるように形成されたものである。
【００２３】
また、浴室上がり框５０の前面部６３には、その下部の裏面側から上方に延びて框芯材２０の前面側の下部を受ける受け部５９が形成されている。この受け部５９は縦断面形状が角部を有する階段状であって、この角部により框芯材２０の前面側の下部の角部を下方から受けることができるように形成されている。
また、浴室上がり框５０は、セルロース系材料の微粉末の表面にこの微粉末よりも小径でかつ固い微粉末を担持させて形成した粉体を混合した樹脂を着色成形することによって木目模様を呈するように形成されている。
【００２４】
次に、上記した発明の実施の形態における作用及び効果について説明する。
まず、浴室上がり框５０を取り付ける場合には、図３に示すように、前面部６３の裏面の受け部５９の角部が框芯材２０の前面側の下側角部を下方から受けるような位置に受け部５９の角部を框芯材２０の下側角部にはめ込む。その際、水平部６２の脚部６６のうち前面部６３側には、突出長さが短い短脚部６５が形成されているため、短脚部６５と框芯材２０との間には隙間が形成されている。このため、短脚部６５の下端が框芯材２０の上面に当接して下方への移動を制限されることなく、前面部６３側を下方に向かって隙間の間隔だけ容易に押し込むことができる。これにより、受け部５９の角部の水平面が框芯材２０の角部の下面より下方に向かって僅かに下がり、受け部５９の固定を容易に行うことができる。
【００２５】
そして、框芯材２０の前面側の下側角部が受け部５９の角部にはまり込んだ状態のまま、嵌合部５１の突出部５２が嵌合溝１１の内部にはまりこむように浴室上がり框５０の水平部６２の浴室９０側の端部を下方に向かって押し込む。突出部５２を嵌合溝１１の内部に押し込むと、突出部５２の先端の引っかけ部５３が嵌合溝１１の周縁に押されて変形し、引っかけ部５３は嵌合溝１１の内部に入り込む。嵌合溝１１の内部に入り込んだ引っかけ部５３は、嵌合溝１１の周縁に引っかかることにより嵌合溝１１の内部から突出部５２が抜け出ることを阻止することができ、嵌合溝１１の内部に突出部５２を固定することができる。その際、嵌合溝１１の周縁は突出部５２の前面側に形成された凹凸部５４と深く噛み込んで両者の移動を抑えることとなり、ずれ等の発生を抑えて両者を強固に固定することができる。
【００２６】
上述したように、浴室上がり框５０の水平部６２の端部が嵌合部５１により接着剤を使用することなく簡易に固定することができる。このため、接着剤を使用する場合に必要な養生時間が不要となり、現場施工を容易なものとすることができる。
また、浴室上がり框５０の水平部６２の端部を嵌合部５１により直接、サッシ枠１０に固定している。このため、浴室上がり框５０とサッシ枠１０との間に隙間を発生させることなく形成することができ、両者間の隙間からの水の浸入を抑えるためのパッキング材やコーキング処理が不要となり、現場での施工を簡易なものとすることができる。
【００２７】
また、水平部６２の上面には、予め滑り止め突条６１が形成されているため、浴室上がり框５０の水平部６２の上に人の足が乗っても、この滑り止め突条６１が足裏に食い込み、両者の摩擦抵抗を増加させることができるようにしたものを別部材として取り付ける必要がない。これにより、部材数の増加を抑えることができ、現場での施工を簡易なものにすることができる。
【００２８】
また、浴室上がり框５０の前面部６３には、その裏面側に調整材３０の前面と当接する当接部５６が形成されている。このため、誤って足先で浴室上がり框５０の前面部６３を浴室９０側に向かって蹴り込むようなことがあっても、当接部５６の先端が調整材３０に当たり、前面部６３が浴室９０側に向かって変形することを阻止する。これにより、前面部６３が変形して折れたり、破損したりするのを防止することができる。
【００２９】
また、浴室上がり框５０を、セルロース系材料の微粉末の表面に、この微粉末よりも小径でかつ固い微粉末を担持させて形成した粉体を混合した樹脂を着色成形することによって木目模様を呈するように形成している。これにより、外部から見える浴室上がり框５０に木目模様を出すことができる。また、粉体を混合した樹脂からなるため、通常の木質材料よりも水分を吸収し難く、仮に水分が付着しても水分をふき取ったり、乾燥させる手間が不要であって、メンテナンスを容易にすることができる。すなわち、外観上は木目模様を呈することができて木製品と同様の外観を形成することができるが、耐水性に関しては木製品と比較してはるかに水に強い浴室上がり框を提供することができる。
【００３０】
次に、本発明の第２の実施の形態について説明する。
図４は、本発明の第２の実施の形態であり、サッシ枠に浴室上がり框を固定した縦断面図を示すものである。
本実施の形態は、浴室９０内にシャワーブースを形成する場合等に浴室９０の床面と床仕上げ材４０の表面との段差が、第１の実施の形態と比較して大きく設定されているものである。
【００３１】
本実施の形態においては、第１の実施の形態と比較して段差が大きいため、框芯材２０の下の調整材３０および床仕上げ材４０の間に形成された調整材３１，３２と、この調整材３１，３２の室内側に立設して、調整材３１，３２の前面を覆う立ち上がり片８０とを備えている。この立ち上がり片８０の室内側の上部には、水平面を有する段差状の水平段差部８１が形成されている。そして、この水平段差部８１の水平面に浴室上がり框５０の支持部５７の下端が当接可能となるように形成されている。その他の構成は第１の実施の形態とほぼ同様であって、同一の部品には同一の部品番号を付与して説明を省略する。
【００３２】
本実施の形態のように、浴室９０の床面と床仕上げ材４０の表面との段差が第１の実施の形態と大きく異なるような場合においても、立ち上がり片８０等の部材を用意するだけで、共通の浴室上がり框５０の部材を使用することができる。また、種々の長さの立ち上がり片８０を用意することにより、種々の異なる段差にも適用可能な浴室上がり框５０を提供することができる。
【００３３】
【発明の効果】
本発明は、以上のように構成されているので、以下に記載されるような効果を奏する。
請求項１記載の発明によれば、接着剤を使用することなく、容易に取り付けることができ、水の浸入を抑えることができる浴室上がり框を提供することができる。
【００３４】
請求項２記載の発明によれば、嵌合部を特定するもので、簡易な構造でサッシ枠に嵌合可能な浴室上がり框を提供することができる。
請求項３記載の発明によれば、足の裏面との摩擦抵抗を大きくして濡れた足でも滑りにくい浴室上がり框を提供することができる。
請求項４記載の発明によれば、木目模様を呈するように形成するとともに水分を吸収し難くてメンテナンスが容易な浴室上がり框を提供することができる。
【図面の簡単な説明】
【図１】本発明の第１の実施の形態であって、サッシ枠に固定した浴室上がり框を示す縦断面図である。
【図２】本発明の第１の実施の形態であって、浴室上がり框を示す縦断面図である。
【図３】本発明の第１の実施の形態であって、サッシ枠に取り付ける際の浴室上がり框を示す縦断面図である。
【図４】本発明の第２の実施の形態であって、サッシ枠に固定した浴室上がり框を示す縦断面図である。
【図５】従来の浴室上がり框を示す縦断面図である。
【符号の説明】
１０  サッシ枠                      １１  嵌合溝
１２  張り出し部                    １３  立設部
２０  框芯材                    ３０〜３２    調整材
４０    床仕上げ材                    ５０    浴室上がり框
５１  嵌合部                        ５２  突出部
５３  引っかけ部                    ５４  凹凸部
５６  当接部                        ５７  支持部
５８  切欠き溝                      ５９  受け部
６１  滑り止め突条                  ６２  水平部
６３  前面部                        ６４  長脚部
６５  短脚部                        ６６  脚部
８０  立ち上がり片                  ９０  浴室
１１０  サッシ枠                    １２０  立設部
１３０，１３１  調整材                  １４０  床仕上げ材
１５０  浴室上がり框                １６２  水平部
１６３  前面部                      １７０  パッキング材
１７１  パッキング材                １７２    コーキング
１９０  浴室
【図１】
0003626245.tif 000002
【図２】
0003626245.tif 000003
【図３】
0003626245.tif 000004
【図４】
0003626245.tif 000005
【図５】
0003626245.tif 000006